(57)【要約】【課題】折りたたみ式の携帯電話機などの携帯通信端末であって、通話時における受信感度を向上させるとともに、構造を簡素化した携帯通信端末を提供する。【解決手段】受話用のスピーカ５が取り付けられた筐体２と、送話用のマイク６が取り付けられた筐体３と、回転軸を中心として筐体２及び３を回転可能に連結する連結部７と、筐体２及び３に対し回転可能に取り付けられた送受信用のアンテナ４により構成される。アンテナ４は、連結部７に上記回転軸を中心として回転可能に取り付けられる。持ち運ぶときなどの非通話時には、連結部７を中心として筐体２及び３を折りたたんだ状態にすることができる。一方、通話時には、筐体２及び３を展開した状態で用いることができる。アンテナ４が筐体２及び３に対し独立して回転可能であるので、筐体２及び３を通話に適した角度に展開した状態に維持しつつ、アンテナ４の向きを調整することができる。【選択図】          図１
2004356862.tif 000002
【特許請求の範囲】
【請求項１】
受話用のスピーカが取り付けられた第１の筐体と、
送話用のマイクが取り付けられた第２の筐体と、
回転軸を中心として第１及び第２の筐体を回転可能に連結する連結部と、
第１及び第２の筐体に対し回転可能に取り付けられた送受信用のアンテナを備えたことを特徴とする携帯通信端末。
【請求項２】
上記アンテナは、上記連結部に取り付けられ、上記回転軸を中心として回転可能であることを特徴とする請求項１に記載の携帯通信端末。
【請求項３】
上記第１の筐体におけるスピーカの取り付け面が、上記第２の筐体におけるマイクの取り付け面と同じ側にあり、
上記アンテナは、第１の筐体におけるスピーカの取り付け面及び第２の筐体におけるマイクの取り付け面と反対側に突出することを特徴とする請求項１に記載の携帯通信端末。
【請求項４】
上記アンテナを回転させるアンテナ駆動手段と、
上記アンテナを介して受信した信号の強度を検出する信号強度検出手段と、
信号強度の検出結果に基づいて上記アンテナの回転を制御する駆動制御手段を備えたことを特徴とする請求項１に記載の携帯通信端末。
【請求項５】
上記信号強度検出手段は、上記アンテナ駆動手段がアンテナを回転させるごとに信号強度を検出し、
上記駆動制御手段は、上記信号強度検出手段が順次に検出した信号強度が低下した場合に、上記アンテナ駆動手段に対しアンテナの回転方向を反転させる制御を行うことを特徴とする請求項４に記載の携帯通信端末。
【請求項６】
上記駆動制御手段は、上記アンテナ駆動手段に対し、所定の動作期間及びこの動作期間より長い所定の休止期間を交互に繰り返す間欠動作の制御を行うことを特徴とする請求項４に記載の携帯通信端末。
【発明の詳細な説明】
【０００１】
【発明の属する技術分野】
本発明は、携帯通信端末に係り、より詳しくは、折りたたみ式の携帯電話機などの携帯通信端末の改良に関する。
【０００２】
【従来の技術】
一般に、基地局と携帯通信端末との間の無線通信においては、場所によって基地局から届く電波の偏波面の傾きが異なることが知られている。一方、折りたたみ式の携帯電話機などの携帯通信端末では、アンテナが端末に固定され、通話時においてアンテナの向きだけを変えることはできなかった（例えば、特許文献１）。
【０００３】
図５は、従来の携帯通信端末の一例を示した外観斜視図である。この携帯通信端末３０は、受話用のスピーカ３４が取り付けられた筐体３１と、送話用のマイク３５が取り付けられた筐体３２と、筐体３１及び３２を連結する連結部３６と、送受信用のアンテナ３３からなる。筐体３１及び３２は、それぞれの端部を対向させて連結され、回転軸を中心として回転可能となっている。通話時には、筐体３１及び３２を展開させて用いられる。アンテナ３３は、筐体３２の端部に取り付けられ、筐体３２に対し一方向に向けて固定されている。
【０００４】
通話時においては、筐体３１及び３２を通話に適した角度に展開した状態に維持しつつ、端末が一定の角度で保持されるので、アンテナ３３の向きがほぼ決まってしまう。仮に、端末の角度を変え、あるいは、筐体３１に対する筐体３２の角度を変えることによってアンテナ３３の向きを変えようとすると、通話しづらくなってしまう。このため、アンテナ３３の向きと偏波面の傾きとの関係によって受信状態が悪いときであっても、アンテナ３３の向きを変えることによって受信感度を改善することはできないという問題があった。
【０００５】
【特許文献１】
特開平６−１６９２１７号公報
【０００６】
【発明が解決しようとする課題】
本発明は、上記事情に鑑みてなされたものであり、通話時における受信感度を向上させた携帯通信端末を提供することを目的としている。また、本発明の他の目的は、通話時における受信感度を向上させるとともに、構造を簡素化した携帯通信端末を提供することにある。また、本発明の他の目的は、通話時における受信感度を自動調整することができる携帯通信端末を提供することにある。また、本発明の他の目的は、通話時における受信感度を自動調整するとともに、消費電力の低減を図った携帯通信端末を提供することにある。
【０００７】
【課題を解決するための手段】
本発明による携帯通信端末は、受話用のスピーカが取り付けられた第１の筐体と、送話用のマイクが取り付けられた第２の筐体と、回転軸を中心として第１及び第２の筐体を回転可能に連結する連結部と、第１及び第２の筐体に対し回転可能に取り付けられた送受信用のアンテナにより構成される。
【０００８】
この様な構成によれば、第１及び第２の筐体が回転可能に連結された端末、例えば、折りたたみ式の携帯電話機にアンテナを回転可能に取り付けたので、第１及び第２の筐体に対し独立してアンテナを回転させることができる。このため、第１の筐体に対する第２の筐体の角度を変えることなく、アンテナの向きだけを変えることができる。従って、通話時において、アンテナの向きを変えることによって受信感度を調整することが可能となる。
【０００９】
また、本発明による携帯通信端末は、上記構成に加え、上記アンテナが、上記連結部に取り付けられ、上記回転軸を中心として回転可能であるように構成される。この様な構成によれば、第１及び第２の筐体を連結する連結部にアンテナを取り付けるとともに、回転軸を共通化したので、アンテナの取り付け構造を簡素化することができる。
【００１０】
また、上記アンテナを回転させるアンテナ駆動手段と、上記アンテナを介して受信した信号の強度を検出する信号強度検出手段と、信号強度の検出結果に基づいて上記アンテナの回転を制御する駆動制御手段を備えるようにすれば、アンテナの回転に伴って信号強度を検出し、この検出結果に基づいてアンテナの回転を制御することができる。従って、受信感度の調整を自動化することができる。
【００１１】
また、上記信号強度検出手段が、上記アンテナ駆動手段がアンテナを回転させるごとに信号強度を検出し、上記駆動制御手段が、上記信号強度検出手段が順次に検出した信号強度が低下した場合に、上記アンテナ駆動手段に対しアンテナの回転方向を反転させる制御を行うようにすれば、アンテナの回転に伴って検出された信号強度が低下した場合に回転方向を反転させるので、アンテナの回転面内において、信号強度が最大となる向きにアンテナを自動的に向けることができる。
【００１２】
また、上記駆動制御手段が、上記アンテナ駆動手段に対し、所定の動作期間及びこの動作期間より長い所定の休止期間を交互に繰り返す間欠動作の制御を行うようにすれば、所定の動作期間内において受信感度の自動調整が行われ、所定の休止期間中は自動調整を行わないので、消費電力を低減することができる。
【００１３】
【発明の実施の形態】
実施の形態１．
図１は、本発明の実施の形態１による携帯通信端末の一例を示した側面図であり、通話時における状態を表している。本実施の形態の携帯通信端末１は、折りたたみ式の携帯電話機などの携帯可能な小型の電子機器であり、手に持って通話を行うことができる。
【００１４】
この携帯通信端末１は、受話用のスピーカ５が取り付けられた筐体（第１の筐体）２と、送話用のマイク６が取り付けられた筐体（第２の筐体）３と、筐体２及び３を回転可能に連結する連結部７と、筐体２及び３に対し回転可能に取り付けられた送受信用のアンテナ４からなる。
【００１５】
筐体２及び３は、その形状が略直方体であり、それぞれの端部を対向させて連結されている。連結部７は、上記端部に平行な回転軸を中心として筐体２及び３を回転可能に連結している。このため、持ち運ぶときなどの非通話時には、連結部７を中心として筐体２及び３を折りたたんだ状態にすることができる。一方、通話時には、筐体２及び３を展開した状態で用いることができる。
【００１６】
筐体３には、電池（図示せず）が内蔵され、通常、この筐体３部分を手に持って通話が行われる。スピーカ５及びマイク６は、筐体２及び３を展開した状態において、筐体２及び３の同じ側にそれぞれ取り付けられている。
【００１７】
アンテナ４は、モノポールアンテナなどの線状アンテナであり、連結部７に取り付けられている。アンテナ４は、上記回転軸を共用して取り付けられ、この回転軸を中心として筐体２及び３に対し、独立して回転可能となっている。アンテナ４が独立して回転可能であるので、ユーザ（操作者）が手でアンテナ４を回転させることによって、アンテナ４の向きだけを変えることができる。従って、筐体２及び３を通話に適した角度に展開した状態に維持しつつ、アンテナ４の方向を調整することができる。
【００１８】
従来から、電池などを内蔵する筐体３と、ＬＣＤ（図示せず）などが設けられた筐体２とを連結する連結部７は、高い強度が確保されている。この様な連結部７に回転軸を共用してアンテナ４を取り付けることによって、アンテナ４の取り付け構造についても高い強度を確保することができる。
【００１９】
アンテナ４の方向を調整することによって、受信感度を調整することができる。このユーザによる受信感度の調整は、通話品質に基づいて行われ、例えば、アナログ方式の端末であれば、スピーカ５からの音声の強度、すなわち、受話音量に基づいて行うことができる。また、デジタル方式の端末であれば、スピーカ５からの音声の途切れ具合などに基づいて行うことができる。
【００２０】
なお、連結部７においてアンテナ４を回転可能にする機構としては、所定の回転範囲内を多段階で回転させるようなものであっても良い。例えば、端末の上方向を１２時の方向とし、背面方向を３時の方向とすると、１２時から３時にかけての回転範囲を３等分し、１２時、１時及び２時の３つの方向でアンテナ４を停止させるストッパ機構を有するものであっても良い。
【００２１】
また、アンテナ４は、筐体２におけるスピーカ５の取り付け面及び筐体３におけるマイク６の取り付け面と反対側に突出している。すなわち、アンテナ４は、筐体２及び３を展開した状態において、筐体２及び３に対しスピーカ５及びマイク６と反対側に設けられている。このため、筐体２及び３に対しスピーカ５及びマイク６と反対側に突出させてアンテナ４を設けることによって、通話を妨げることなく、アンテナ４の向きを変えることができる。
【００２２】
本実施の形態によれば、アンテナ４が筐体２及び３に対し独立して回転可能であるので、アンテナ４の向きだけを変えることができる。従って、ユーザは、通話時において、アンテナ４の向きを変えることによって、受信感度を調整することができる。この様な受信感度の調整によって、通話時における端末の受信感度を向上させることができる。
【００２３】
また、本実施の形態では、筐体２及び３を連結する連結部７の回転軸を共用してアンテナ４が取り付けられているので、アンテナ４の取り付け構造について高い強度を確保することができるとともに、取り付け構造を簡素化することができる。また、アンテナ４を連結部７以外の他の部分に取り付けるのに比べ、アンテナ４の取り付け用の連結部を新たに設ける必要がないので、端末を薄型化、軽量化することができる。
【００２４】
実施の形態２．
実施の形態１では、アンテナ４を独立して回転可能とし、ユーザが手動で感度調整を行うことができる携帯通信端末１について説明した。これに対し、本実施の形態では、アンテナ４を駆動制御し、受信感度を自動調整する携帯通信端末について説明する。
【００２５】
図２は、本発明の実施の形態２による携帯通信端末の構成例を示したブロック図である。この携帯通信端末１０は、アンテナ４と、無線通信処理部１１と、信号強度検出部１２と、駆動制御部１３と、電力供給部１４ａ及びマイクロモータ１５からなるアンテナ駆動部１４により構成される。
【００２６】
無線通信処理部１１は、アンテナ４を介して送受信される信号についての送受信処理を行っている。例えば、受信信号が復調され、スピーカ５から音声が出力される。また、マイク６から入力された音声信号に基づいて搬送波が変調され、アンテナ４を介して送信される。つまり、無線通信処理部１１は、通話に関する処理を行っている。この無線通信処理部１１は、通話時において受信信号の一部を信号強度検出部１２へ出力する。
【００２７】
信号強度検出部１２は、受信信号についての信号強度の検出を行う受信感度検出手段である。信号強度の検出は、無線通信処理部１１からの受信信号について、例えば、振幅レベルを判別することにより行われ、アンテナ駆動部１４がアンテナ４を回転させるごとに信号強度が検出される。この様な信号強度の検出結果は、順次に駆動制御部１３へ出力される。
【００２８】
駆動制御部１３は、アンテナ４の回転についての駆動制御を行っている。すなわち、駆動制御部１３は、アンテナ駆動部１４に対し制御信号を出力し、アンテナ４の回転方向を制御している。この制御信号は、信号強度検出部１２からの信号強度の検出結果に基づいて生成される。例えば、アンテナ４を一方向に回転させる制御が行われ、アンテナ４を一方向に回転させながら信号強度検出部１２が順次に検出した信号強度の検出結果が監視される。そして、この信号強度が低下した場合には、アンテナ４の回転方向を反転させるための制御信号が出力される。
【００２９】
電力供給部１４ａは、マイクロモータ１５に電力を供給する電源装置であり、マイクロモータ１５は、電力供給部１４ａにより供給される電力によってアンテナ４を回転させる回転駆動装置である。電力供給部１４ａは、駆動制御部１３からの制御信号に基づいて、マイクロモータ１５に対する電力供給を行っている。例えば、マイクロモータ１５を一方向に所定の角速度で回転させつつ、駆動制御部１３から制御信号が入力されるごとに、マイクロモータ１５の回転方向が反転される。つまり、アンテナ駆動部１４は、アンテナ４を一方向に回転させながら、駆動制御部１３から制御信号が入力されるごとにアンテナ４の回転方向を反転させる。
【００３０】
図３のステップＳ１〜Ｓ７は、図２の携帯通信端末１０における受信感度の調整動作の一例を示したフローチャートである。まず、駆動制御部１３は、通話が開始されると、アンテナ４の向きを初期化するための制御信号をアンテナ駆動部１４に出力する（ステップＳ１）。次に、駆動制御部１３は、アンテナ４の回転駆動を開始するための制御信号をアンテナ駆動部１４に出力し、これによってアンテナ４の回転が始まる（ステップＳ２）。
【００３１】
信号強度検出部１２は、通話時における受信信号の信号強度を順次に検出し、検出結果を駆動制御部１３に出力する（ステップＳ３）。駆動制御部１３は、信号強度検出部１２から順次に入力される信号強度の検出結果に基づいて、信号強度の変化を判別する（ステップＳ４）。
【００３２】
信号強度が低下した場合には、アンテナ４の回転方向を反転させる制御信号がアンテナ駆動部１４に対し駆動制御部１３により出力され、マイクロモータ１５の回転が反転する（ステップＳ７）。信号強度が低下していない場合には、制御信号が出力されず、アンテナ４は一方向の回転を続ける。
【００３３】
駆動制御部１３は、通話が終了するまで、ステップＳ３からステップＳ４の処理手順を繰り返し（ステップＳ５）、通話が終了すると、アンテナ４の回転を停止させるための制御信号がアンテナ駆動部１４に出力される。この制御信号の出力により、マイクロモータ１５の回転が停止し（ステップＳ６）、この様な受信感度の調整動作が終了する。
【００３４】
本実施の形態によれば、アンテナ４の回転に伴って信号強度を検出し、この検出結果に基づいてアンテナ４の回転を制御しているので、受信感度の調整が自動化することができる。従って、ユーザが通話時における受信感度の調整を意識することなく、受信感度を向上させることができる。また、アンテナ４の回転に伴って検出された信号強度が低下すると、アンテナ４の回転方向を反転させるので、アンテナ４の回転面内において信号強度が最大（受信感度が最大）となる向きにアンテナ４を自動的に向けることができる。
【００３５】
なお、本実施の形態では、受信感度の自動調整が通話中において継続的に行われる場合について説明したが、本発明は、これに限られるものではない。例えば、受信感度の自動調整を通話中において間欠的に行うようなものであっても良い。この自動調整の間欠動作としては、自動調整を行う所定の動作期間と、自動調整を行わない所定の休止期間とが交互に繰り返される。ここで、休止期間は、動作期間より長いものとし、標準的な通話時間及び内蔵する電池の寿命（持続時間）などを考慮すれば、１０分から３０分までのいずれかの時間であることが好ましい。この様な間欠動作を行うようにすれば、消費電力が低減されるので、電池の寿命を延ばすことができる。また、端末に太陽電池を搭載し、この太陽電池から供給される電力をマイクロモータ１５の駆動に用いるようにすれば、太陽電池以外の電池の負担が減少するので、休止期間を短縮することができる。
【００３６】
また、アンテナ４の回転駆動は、必ずしも連続的に行う必要はなく、多段階で断続的に行われるようなものであっても良い。例えば、端末の上方向を１２時の方向とし、背面方向を３時の方向とすると、１２時から３時にかけての回転範囲を３等分し、１２時、１時及び２時の３つの方向でアンテナ４を停止させるストッパ機構を設け、これらの３つの方向のうち受信感度が最大となる方向にアンテナ４の向きを向ける制御が駆動制御部１３によって行われる。この様な駆動制御を行うようにすれば、受信信号の強度が時間的に変動するような場合であっても、アンテナ４の向きがふらつくのを抑制することができる。
【００３７】
実施の形態３．
実施の形態１では、アンテナ４を連結部７に取り付けた携帯通信端末１について説明した。これに対し、本実施の形態では、アンテナ４を連結部７に取り付ける代わりに、アンテナを筐体２に取り付けた携帯通信端末について説明する。
【００３８】
図４は、本発明の実施の形態３による携帯通信端末の一例を示した側面図である。この携帯通信端末２０は、筐体２及び３を連結する連結部７以外に、筐体２に設けられた連結部２２を備える。連結部２２には、アンテナ２１が回転可能に取り付けられる。連結部２２の回転軸は、連結部７の回転軸と平行であり、この回転軸を中心としてアンテナ４が回転可能となっている。その他の構成は、図１の携帯通信端末１と同様である。この様な構成によっても、通話時における受信感度の調整を行うことができる。
【００３９】
【発明の効果】
以上、説明したように本発明による携帯通信端末によれば、第１及び第２の筐体に対し独立してアンテナが回転可能であるので、第１の筐体に対する第２の筐体の角度を変えることなく、アンテナの向きだけを変えることができ、アンテナの向きを変えることによって受信感度を調整することが可能となる。従って、通話時における受信感度を向上させることができる。また、第１及び第２の筐体を連結する連結部にアンテナを取り付けるとともに、回転軸を共通化したので、アンテナの取り付け構造を簡素化することができる。
【００４０】
また、アンテナの回転に伴って信号強度が検出され、この検出結果に基づいてアンテナの回転が制御されるので、受信感度の自動調整を行うことができる。また、アンテナの回転に伴って検出された信号強度が低下すると、回転方向を反転させるので、アンテナの回転面内において、信号強度が最大となる向きにアンテナを自動的に向けることができる。また、所定の動作期間内において受信感度の自動調整が行われ、所定の休止期間中は自動調整を行わないので、消費電力を低減することができる。
【図面の簡単な説明】
【図１】本発明の実施の形態１による携帯通信端末の一例を示した側面図である。
【図２】本発明の実施の形態２による携帯通信端末の構成例を示したブロック図である。
【図３】図２の携帯通信端末における受信感度の調整動作の一例を示したフローチャートである。
【図４】本発明の実施の形態３による携帯通信端末の一例を示した側面図である。
【図５】従来の携帯通信端末の一例を示した外観斜視図である。
【符号の説明】
１，１０，２０  携帯通信端末、２  筐体（第１の筐体）、
３  筐体（第２の筐体）、４，２１  アンテナ、５  スピーカ、６  マイク、
７，２２  連結部、１１  無線通信処理部、１２  信号強度検出部、
１３  駆動制御部、１４  アンテナ駆動部、１４ａ  電力供給部、
１５  マイクロモータ
【図１】
2004356862.tif 000003
【図２】
2004356862.tif 000004
【図３】
2004356862.tif 000005
【図４】
2004356862.tif 000006
【図５】
2004356862.tif 000007